(57)【特許請求の範囲】
【請求項１】
織布、不織布、皮革、合成皮革又は合成樹脂のシート（以下単に「布等」という。）からなる、袋状の電動工具のカバ（以下単に「工具カバ」という。）であって、工具又は工具保持部を貫通させる工具穴を有し、また電動工具を出し入れするための開閉口を設け、さらに防水性を有する布等からなることを特徴とする工具カバと、
前記電動工具においてモータ等を空冷するための換気穴が設けられた範囲（以下単に「換気エリア」という）を覆う換気補助器であって、前記電動工具に面する側に凹部を有し、また前記換気エリアと前記凹部とで構成した空間と外部とを通気する多数の孔、を有することを特徴とする換気補助器との組み合わせ。
【請求項２】
請求項１に記載した工具カバと換気補助器との組み合わせであって、工具カバの前記開閉口を前記電動工具のバッテリ部を覆うバッテリカバ部に設けたことを特徴とする、工具カバと換気補助器との組み合わせ。
【請求項３】
請求項１又は請求項２のいずれかに記載した工具カバと換気補助器との組み合わせであって、前記工具カバが通気性を有する布等からなることを特徴とする、工具カバと換気補助器との組み合わせ。
【請求項４】
請求項１〜請求項３のいずれかに記載した工具カバと換気補助器との組み合わせであって、前記工具カバが伸縮性を有する布等からなることを特徴とする、工具カバと換気補助器との組み合わせ。
【発明の詳細な説明】
【技術分野】
【０００１】
本発明は、電動工具の内部に雨水や埃などが入ることにより、電動工具の電気機器やモータなどが損傷する事故を防ぐための、工具カバ及び換気補助器に関するものである。
【背景技術】
【０００２】
電動工具には、小ネジを締めるときに使用するインパクトドライバ、ボルトを締めるときに使用するインパクトレンチやシャーレンチ、木材や金属材の穴明けに使用するドリルドライバ、コンクリートの穴明けに使用するハンマードリル、表面を研削するときに使用するディスクグラインダ、丸いのこぎりで部材を切断するマルノコ又はチップソーカッタ、ブレードと呼ばれる刃で部材を切断するジグソーなど多数の種類があるが、いずれもモータにより工具を回転させ又は往復移動させて仕事を行う構成を有している。
雨天時に屋外で電動工具を使用して作業を行うと、電動工具のスイッチ部や換気穴などから雨水が浸入して、内部の電気機器やモータが損傷する事故が起きるため、雨天時に屋外で作業を行う場合には電動工具を使用することができなかった。
また埃の多い場所で電動工具を使って作業を行った場合には、電動工具が汚れる問題があるだけでなく、スイッチ部や換気穴などから埃が浸入して、内部の電気機器やモータなどが損傷することがあった。
しかし雨天時や埃の多い場所において電動工具を使用することを避けると、作業効率が悪くなり予定した工期に間に合わない問題があった。
一方、無理して電動工具を使用する場合には、雨水や埃が内部に入ることにより電動工具が故障した場合における、作業を停止しなければならないリスクと、修理のための手間と費用を負担しなければならないリスク、を覚悟しなければならなかった。
以上の問題を解決するために、発明者は何か良い商品はないかと市場を調査したが適当なものはなかった。また何か良い発明が出願されていなものかと調査したが見つからなかった。そこで、試行錯誤の実験と研究を行った。
【発明の開示】
【発明が解決しようとする課題】
【０００３】
本発明の目的は、雨天時に屋外で電動工具を使用した場合に、スイッチ部や換気穴などから雨水が入ることを防止して、内部の電気機器やモータを損傷させることなく、電動工具を使用可能にすることにある。  
また他の目的は、埃の多い場所で電動工具を使用した場合に、スイッチ部や換気穴などから埃が入ることを防止して、内部の電気機器やモータを損傷させることなく、電動工具を使用可能にすることにある。
【課題を解決するための手段】
【０００４】
織布、不織布、皮革、合成皮革又は合成樹脂のシート（以下単に「布等」という。）からなる、袋状の電動工具のカバ（以下単に「工具カバ」という。）であって、防水性と防塵性を有する布等からなる工具カバを電動工具に取り付ける。さらに電動工具においてモータ等を空冷するための換気穴が設けられた範囲（以下単に「換気エリア」という。）を覆う換気補助器を取り付け、換気補助器と換気エリアとの間に空間を設け、さらに換気補助器に多数の孔を設けることにより、通気してモータへの換気性を確保する。
【発明の効果】
【０００５】
雨天時の屋外や埃の多い作業環境において、電動工具のスイッチ部や換気穴などから雨水や埃が浸入することを防ぐことができたので、雨天時における屋外や埃の多い作業環境においても、安心して電動工具を使用して作業を行うことができるようになった。
電動工具の換気エリアに換気補助器を設け、換気エリアの外に空間を設けると共に、換気補助器に多数の孔を設けて外部と通気することにより、モータ等を冷却する空気の換気面積を大きく確保したので、従来通りの頻度で使用してもモータ等が過熱することはなかった。
【発明を実施するための最良の形態】
【０００６】
工具カバは、工具又は工具保持部を貫通させる工具穴を有し、また電動工具を出し入れするための開閉口を設け、さらに防水性を有する布等からなる工具カバとする。
換気補助器は、電動工具の換気エリアを覆う面積を有し、電動工具に面する側に空間を設けるための凹部を有し、また外部と通気するための多数の孔を有するものとする。そして、電動工具に換気補助器を取り付けて、電動工具と換気補助器を一緒に工具カバの中に入れた状態にして電動工具を使用する。
防水性を有する布等としては防水加工した織布、不織布、皮革、合成皮革及び合成樹脂のシートなど好ましい。電動工具にはドライバ、ソケット、ドリル、砥石、マルノコ、ブレードなどの工具を保持するための工具保持部があって、工具又は工具保持部を袋から突き出させる必要があるので、工具又は工具保持部を貫通させる工具穴を設ける。このとき工具穴には布等を補強するため及び工具等と接触しないよう構成するための補強部材を設けることが好ましい。
開閉口は電動工具を工具カバに出し入れ可能な大きさと位置にあれば、開閉口をどんな形状にしてどこに設けても構わない。開閉口にはファスナ、面ファスナ、ボタン又はフックなどを使用して容易に開閉できるように構成することが好ましい。
工具カバの布等自体が良好な通気性を有する場合は、特に工具カバと外気との換気を考慮する必要はないが、そうでない場合は工具カバにおいて雨水等がかかる可能性の最も小さな位置に、空気取り入れ用の穴を設けるか又は網状の空気取入部材を取り付けることが好ましい。
防水性を有する布等は防塵性を同時に備えているので、防塵性を得るために特に布等の選定について注意する必要はないものと思う。
【０００７】
上記した工具カバと換気補助器との組み合わせであって、工具カバの開閉口を電動工具のバッテリ部を覆うバッテリカバ部に設けてなる、工具カバと換気補助器との組み合わせとする。
電動工具のバッテリ部を覆うバッテリカバ部に開閉口を設けたのは、電動工具を工具カバに挿入出する作業と、バッテリの交換を行う作業の両方が同じ開閉口を使って可能になるからである。
上記したいずれかの工具カバと換気補助器との組み合わせであって、工具カバを通気性を有する布等からなる工具カバとした、工具カバと換気補助器との組み合わせとする。
防水性、防塵性及び通気性を有する膜としては、微細孔（０．１〜１０μｍ）を有する膜であってはっ水性に優れた日東電工株式会社のふっ素樹脂多孔質膜、商品名「ＴＥＭＩＳＨ（登録商標）」などを使用することが好ましい。
通気性を有する工具カバとすることにより、工具カバに空気取り入れ用の穴を設けたり網状の空気取入部材を取り付ける必要がなくなるため、さらに高い防水性や防塵性を得ることができる。
上記したいずれかの工具カバと換気補助器との組み合わせであって、工具カバを伸縮性を有する布等からなる工具カバとした、工具カバと換気補助器との組み合わせとする。
伸縮性のある糸を使用した織布や糸の中にゴムを織り込んだ織布や伸縮性のある繊維からなる不織布などを使用することにより、伸縮性のある工具カバを得ることができる。
伸縮性を有する工具カバとすることにより、電動工具にピッタリ合って、手で持ったときに違和感が少なく、さらに作業性を阻害することのない工具カバを得ることができるからである。
【実施例１】
【０００８】
実施例１に使用する工具カバ１について図１に示し説明する。工具カバ１は図７に示した電動工具５に使用するものである。
電動工具５は左右の本体側部５ｂと本体後部５ｃにそれぞれ換気穴５ｇを有しているので、合計３箇所に換気エリアを有している。また工具保持部５ｈにおいて工具３を保持し、これを内蔵するモータによって回転させる構成である。さらに本体の下側にはハンドル部５ｅが、ハンドル部５ｅの下にバッテリ部５ｆが、ハンドル部５ｅの上部前側にはスイッチ５ｄが、それぞれ取り付けられている。
工具カバ１は、ゴムを織り込んだ織布を使用し防水液を塗布することにより防水性と防塵性を有するものとし、工具カバ１は本体カバ部１ａ、ハンドルカバ部１ｊ、スイッチカバ部１ｄ、バッテリカバ部１ｇ及び分割部カバ１ｆなどからなるものとした。
また工具３と工具保持部５ｈを貫通させるために工具穴１ｂを設けると共に、合成樹脂からなる補強部材１ｃを取り付け、補強部材１ｃの内側は工具保持部５ｈに接触しないように構成した。
本体カバ部１ａとハンドルカバ部１ｊとが後部において結合する場所に、網からなる空気取入部材１ｈを取り付けた。またハンドルカバ部１ｊの前側にスイッチカバ部１ｄを設けた。またバッテリカバ部１ｇを分割して開閉口１ｋを設け、ファスナ１ｅを取り付けて開閉を容易にし、さらにファスナ１ｅから雨水や埃が浸入することを防ぐために、ファスナ１ｅを覆う分割部カバ１ｆを取り付けた。
【０００９】
実施例１に使用する換気補助器２について図２〜図４に示し説明する。換気補助器２も図７に示した電動工具５に使用するものである。
換気補助器２は合成樹脂からなるものとし、電動工具の３箇所の換気エリアに位置を合わせて構成した、２枚の側面部２ａと１枚の後面部２ｄを有するものとし、連結部２ｃにより連結したものである。
側面部２ａも後面部２ｄもいずれも薄い板を湾曲させた形状の面を有するものとし、電動工具５に面する側に側凹部２ｂや後凹部２ｅを設け、各面にはそれぞれ多数の孔２ｆを設けてなるものとした。
換気補助器２を工具５に取り付けるときは、本体上部５ａに連結部２ｃを載せ、本体側部５ｂの換気エリアに側面部２ａを被せ、本体後部５ｃの換気エリアに後面部２ｄを被せるようにして取り付ける。
電動工具２に換気補助器２を取り付けた後に、分割部カバ１ｆを持ち上げてファスナ１ｅを引いて開閉口１ｋを開き、開閉口１ｋから工具カバ１の中に電動工具５と換気補助器２を一緒に挿入する。その後ファスナ１ｅを引いて開閉口１ｋを閉じて、分割部カバ１ｆを下げ、工具保持部５ｈに工具３を保持させることにより図５に示した使用状態にして、電動工具２を使用して作業を行う。
また、作業途中にバッテリを交換する場合は、図６に示したように分割部カバ１ｆを持ち上げた状態にしてファスナ１ｅを引いて開閉口１ｋを開いて行う。
【実施例２】
【００１０】
その他の実施例について、実施例１と異なる構成についてのみ記載する。実施例２では伸縮性のある繊維を使用した不織布からなる工具カバとした。またふっ素樹脂多孔質膜を有する工具カバとした。ふっ素樹脂多孔質膜は防水性、防塵性及び通気性があるため、実施例１の工具カバ１に設けた空気取入部材１ｈを、本実施例では設ける必要はない。
また実施例１では開閉口１ｋにファスナ１ｅを使用したが、本実施例では分割部カバ１ｆとバッテリカバ部１ｇとの間を面ファスナで止めた。また面ファスナの代わりにボタンやフックなどの留め金を使用することも可能である。
また工具カバに予備の工具を収納するためのポケットを取り付けると便利であり、吊下具を取り付けて使用者の腰などに吊り下げると、両手で物を持って移動することが可能になるので好ましい。
さらに実施例１では合成樹脂からなる換気補助器２としたが、本実施例では鋼鉄、アルミ合金、ステンレス鋼等の薄板のいずれかをプレス加工してなる換気補助器とした。
【産業上の利用可能性】
【００１１】
本発明は電動工具を製造販売する産業や、電動工具を使用して工事を行う産業及び繊維産業や合成樹脂部品や鉄鋼部品などの部品製造産業においても利用される。
【図面の簡単な説明】
【００１２】
【図１】工具カバの一部を断面とした側面図である。
【図２】換気補助器の一部を切り欠いた（２ｂ）正面図である。
【図３】換気補助器の一部を切り欠いた（２ｅ）側面図である。
【図４】換気補助器の一部を切り欠いた（２ｂ、２ｅ）平面図である。
【図５】使用状態を表した斜視図である。
【図６】分割部カバを持ち上げた状態を表した斜視図である。
【図７】電動工具の斜視図である。
【符号の説明】
【００１３】
１  ：工具カバ                １ａ：本体カバ部            １ｂ：工具穴
１ｃ：補強部材                １ｄ：スイッチカバ部        １ｅ：ファスナ
１ｆ：分割部カバ              １ｇ：バッテリカバ部        １ｈ：空気取入部材
１ｊ：ハンドルカバ部          １ｋ：開閉口                ２  ：換気補助器
２ａ：側面部                  ２ｂ：側凹部                ２ｃ：連結部
２ｄ：後面部                  ２ｅ：後凹部                ２ｆ：孔
３  ：工具                    ５  ：電動工具              ５ａ：本体上部
５ｂ：本体側部                ５ｃ：本体後部              ５ｄ：スイッチ
５ｅ：ハンドル部              ５ｆ：バッテリ部            ５ｇ：換気穴
５ｈ：工具保持部
【図１】
0004705970.tif 000002
【図２】
0004705970.tif 000003
【図３】
0004705970.tif 000004
【図４】
0004705970.tif 000005
【図５】
0004705970.tif 000006
【図６】
0004705970.tif 000007
【図７】
0004705970.tif 000008